(57)【特許請求の範囲】
【請求項１】
円筒状のキャップ本体の尾端に形成された嵌着筒に頭冠が嵌着され、軟弾性体からなる球状のシールボールが該キャップ本体と頭冠で挟圧保持され、キャップを筆記具本体に装着したときにペン体が該シールボールで覆われてインキの蒸発が防止される筆記具用キャップにおいて、
前記シールボールは、頭冠の保持筒の先端開口縁と該嵌着筒の内周面に形成された複数本の縦リブの先端縁により挟圧保持され、該縦リブ間の空間が空気流通路であることを特徴とする筆記具用キャップ。
【発明の詳細な説明】
【０００１】
【発明の属する技術分野】
本発明は、キャップ本体の奥底部に軟弾性体からなる球状のシールボールが配置され、キャップを筆記具本体に装着したときにペン体がシールボールで覆われてインキの蒸発が防止される筆記具用キャップに関する。
【０００２】
【従来の技術】
筆記具のキャップの最も重要な機能のひとつは、不使用時にペン体からのインキの蒸発を防止することであるが、例えば万年筆やサインペンのように、筆記具本体にキャップを装着したときに、キャップの内部を密封空間にしてインキの蒸発を防止することが多い。しかし、かかる構造のキャップは、筆記具本体にキャップを装着するときにキャップの内部空間の容積が減少して加圧されるので、加圧された空気がインキ筒内に侵入し、インキ筒内が加圧されてインキが漏出することがある。
【０００３】
このため、水性ボールペンのような筆記具においては、キャップ本体の奥底部に軟弾性体からなる球状のシールボールを配置し、キャップを筆記具本体に装着したときにペン体がシールボールに突き刺されてシールボールで覆われ、インキの蒸発を防止するものが多く実用化されている。かかるキャップは、キャップ内部を密封空間にする必要がないので、キャップ装着時に加圧された空気がインキ筒内に侵入することを防止できる。
【０００４】
【発明が解決しようとする課題】
球状のシールボールをキャップ本体の奥底部に保持する構造は各種のものが採用されている。ところでキャップは、デザイン上の理由などから、円筒状のキャップ本体の尾端開口に、クリップが一体に成形された頭冠を嵌着したものが知られている。そして、かかるキャップにおいては、頭冠内に形成された保持筒の先端開口縁とキャップ本体尾端部の円筒部の開口縁でシールボールを挟圧保持するものがある。
【０００５】
このキャップの組立方法を説明すると、キャップ本体を垂直姿勢にし、キャップ本体の尾端部に形成された円筒部の開口縁にシールボールを載置する。このとき、キャップ本体の円筒部内をペン体が通過するので、キャップ本体の円筒部の内径とシールボールの外径の差は小さく設計されている。つまり、シールボールのキャップ本体の円筒部に対する「引っかかり量」は極めて小さい。次に、キャップ本体の尾端部に頭冠を嵌着するが、この嵌着操作によって頭冠内に形成された保持筒が前進してシールボールを押圧する。つまり、頭冠をキャップ本体に嵌着すると、頭冠の保持筒の先端開口縁とキャップ本体尾端部の円筒部の開口縁でシールボールを挟圧保持する。
【０００６】
このように、この嵌着操作によって頭冠の保持筒とキャップ本体円筒部の間の空間、つまりシールボールの周囲の空間容積が減少して内部の空気が加圧されるので、シールボールが加圧されて略紡錘型に変形する。また、シールボールが頭冠の保持筒内に少し入り込むので保持筒内も加圧され、その加圧力によってシールボールをキャップ本体の円筒部方向に押圧する。従って、前述のとおり、キャップ本体の円筒部の内径とシールボールの外径の差は小さく設計されているので、組立時において、略紡錘型変形したシールボールはキャップ本体の円筒部から抜け落ちることがある。
【０００７】
そこで本発明は、頭冠をキャップ本体の尾端部に嵌着したときに、軟弾性体からなるシールボールがキャップ本体の円筒部から抜け落ちることのない筆記具用キャップを提供することを目的とする。
【０００８】
【課題を解決するための手段】
かかる目的を達成するために、請求項１の発明は、円筒状のキャップ本体の尾端に形成された嵌着筒に頭冠が嵌着され、軟弾性体からなる球状のシールボールがキャップ本体と頭冠で挟圧保持され、キャップを筆記具本体に装着したときにペン体がシールボールで覆われてインキの蒸発が防止される筆記具用キャップにおいて、シールボールを、頭冠の保持筒の先端開口縁と嵌着筒の内周面に形成された複数本の縦リブの先端縁により挟圧保持し、縦リブ間の空間を空気流通路として作用させる。
【０００９】
【発明の実施の形態】
以下に、図面に基づいて本発明の実施の形態を具体的に説明する。図１は水性ボールペンに本発明を適用した例を示すが、図１において、キャップ本体１０は合成樹脂にて円筒状に成形されたものであり、キャップ本体１０の尾端部に嵌着筒１１が一体に形成されている。そして、嵌着筒１１の内周面には、図２に示すように、６本の縦リブ１２が形成されている。この６本の縦リブ１２が前述の円筒部に相当し、縦リブ１２間の空間が空気流通路である。６本の縦リブ１２の頂面を結ぶ仮想円の内径は、シールボール３０の外径よりも僅かに小さくなっており、シールボール３０を縦リブ１２の先端縁１２ａで受け止めることができるようになっている。
【００１０】
頭冠２０は合成樹脂にてクリップ２９と一体に成形されている。そして、頭冠２０の内部には保持筒２１が一体に形成されており、保持筒２１の内径はシールボール３０の外径よりも大きく、保持筒２１の先端開口縁２１ａがシールボール３０に当接できるようになっている。そして、保持筒２１の外周面と頭冠２０の内周面からなる袋状部にキャップ本体１０の嵌着筒１１が嵌着されてキャップ本体１０と頭冠２０が結合される。
【００１１】
このキャップの組立方法を説明すると、キャップ本体１０を垂直姿勢にしてシールボール３０を縦リブ１２の先端縁１２ａに載せる。そして、保持筒２１の外周面と頭冠２０の内周面からなる袋状部にキャップ本体１０の嵌着筒１１が嵌着すればよい。この嵌着により、シールボール３０は縦リブ１２の先端縁１２ａと保持筒２１の先端開口縁２１ａにより挟圧保持される。この嵌着によりシールボール３０の周囲の空間容積が減少するが、隣接する縦リブ１２の間から空気が抜けるので、シールボール３０の周囲が加圧されない。従って、シールボール３０が略紡錘型に変形せず、組立時にシールボール３０が縦リブ１２の間から抜け落ちることがない。
【００１２】
かかるキャップを筆記具本体である水性ボールペン４０に装着すると、図１に示すように、ボールペン体４１の先端が軟弾性体からなるシールボール３０に突き刺さり、シールボール３０で覆われるのでインキの蒸発を防止することができる。
【００１３】
【発明の効果】
以上説明したように、本発明は、円筒状のキャップ本体の尾端に形成された嵌着筒に頭冠が嵌着され、軟弾性体からなる球状のシールボールがキャップ本体と頭冠で挟圧保持され、キャップを筆記具本体に装着したときにペン体がシールボールで覆われてインキの蒸発が防止される筆記具用キャップにおいて、シールボールを、頭冠の保持筒の先端開口縁と嵌着筒の内周面に形成された複数本の縦リブの先端縁により挟圧保持し、縦リブ間の空間を空気流通路として作用させるので、頭冠をキャップ本体の尾端部に嵌着したときに、軟弾性体からなるシールボールがキャップ本体の円筒部から抜け落ちることのない筆記具用キャップとすることができる。
【図面の簡単な説明】
【図１】本発明実施例の断面図である。
【図２】図１のＡ−Ａ線における断面図である。
【符号の説明】
１０    キャップ本体
１１    嵌着筒
１２    縦リブ
１２ａ  縦リブの先端縁
２０    頭冠
２１    保持筒
２１ａ  保持筒の先端開口縁
２９    クリップ
３０    シールボール
４０    水性ボールペン
４１    ボールペン体
【図１】
0003679737.tif 000002
【図２】
0003679737.tif 000003